(57)【要約】【課題】  寝室の壁面に沿って造作される収納付きヘッドボードであり、部屋の広さや家具の配置に制約を受けることなく、ヘッドボードのデッドスペースを有効利用することができる収納付きヘッドボードを提供する。【解決手段】収納付きヘッドボード１は、壁面２に沿って固定され、壁面２と逆の面がベッド本体３の頭部３ａに当接する収納付きヘッドボード１であって、ベッド本体３に当接する前面板１３と、前面板１３の上端と壁面２との間を覆い少なくともその一部が開閉可能な上面板１４と、を有しており、中空部５が形成される外収納部６と、中空部５内に収納され、上面板１４を開いて形成した開口部１１から引き出し可能な内収納部７と、を備え、中空部５は、ベッド本体３の上面３ｂよりも低い位置に底面が設けられており、内収納部７は、中空部５の底面１６ａから前面板１３の上端までの高さ以下である。【選択図】図１
2018099290.tif 000002
【特許請求の範囲】
【請求項１】
壁面に沿って固定され、前記壁面と逆の面がベッド本体の頭部に当接する収納付きヘッドボードであって、
前記ベッド本体に当接する前面板と、前記前面板の上端と前記壁面との間を覆い少なくともその一部が開閉可能な上面板と、を有しており、内部に中空部が形成される外収納部と、
前記中空部内に収納され、前記上面板を開いて形成した開口部から引き出し可能な内収納部と、を備え、
前記中空部は、ベッド本体の上面よりも低い位置に底面が設けられており、
前記内収納部は、前記中空部の前記底面から前記前面板の上端までの高さ以下であることを特徴とする収納付きヘッドボード。
【請求項２】
前記上面板は少なくとも長さ方向の中央に前記開口部を有することを特徴とする請求項１に記載の収納付きヘッドボード。
【請求項３】
前記内収納部は側面が開放された略四角筒状であることを特徴とする請求項１又は請求項２に記載の収納付きヘッドボード。
【請求項４】
前記内収納部は側面の上端及び／又は下端に面取り部が形成されることを特徴とする請求項３に記載の収納付きヘッドボード。
【請求項５】
前記内収納部を引き出し方向に付勢する付勢部をさらに備えることを特徴とする請求項１から請求項４のいずれかに記載の収納付きヘッドボード。
【請求項６】
前記中空部内に前記内収納部が摺動可能な鉛直方向を向いたガイドレールを有することを特徴とする請求項１から請求項５のいずれかに記載の収納付きヘッドボード。
【請求項７】
前記開口部の側縁と前記内収納部の上側端とを互いに回転自在に連結する蝶番をさらに備えることを特徴とする請求項１から請求項５のいずれかに記載の収納付きヘッドボード。
【発明の詳細な説明】
【技術分野】
【０００１】
本発明は、寝室の壁面に沿って造作される収納付きヘッドボードに関するものである。
【背景技術】
【０００２】
ベッド本体の頭側にはベッドボードが設けられる場合があり、このようなヘッドボードの中には、寝室の高級感を演出するために上面に少しの小物などを置くことができるカウンタを設けたものもある。
【０００３】
しかし、ヘッドボードの上面をカウンタとして利用する場合、寝室の壁面からある程度距離を開けてヘッドボードを配置することになるので、カウンタの下の空間がデッドスペースになる問題がある。そこで、ヘッドボードのカウンタの下の空間を収納として用いている例が知られている。例えば非特許文献１には、上面が開閉可能に形成されて内部に小物を収納可能なヘッドボードや側方に引き出す車輪付きの本棚が設けられたヘッドボードが記載されており、また、非特許文献２にもヘッドボードの側方が開口しており収納物を収納できるヘッドボードが記載されている。
【先行技術文献】
【特許文献】
【０００４】
【非特許文献１】収納ベッドシングル通販ショップ モダンライト・コンセント付き収納ベッド(チェストベッド)ディアス [online] オフィスご縁堂ショップグループ [２０１６年１２月１４日検索] http://shop.moshimo.com/ohitori/free-0015057384.html#syu
【非特許文献２】BRIMNESヘッドボード収納スペース付 [online] イケア・ジャパン株式会社 [２０１６年１２月１４日検索] http://www.ikea.com/jp/ja/catalog/products/20228709/
【発明の概要】
【発明が解決しようとする課題】
【０００５】
しかし、上面を開閉させて小物を収納するヘッドボードは、収納のしやすさや取り出しやすさを考慮すると、収納部を深くすることが困難であり、小物の収納に限られる。また、ヘッドボードの側方を開口させて車輪付きの本棚やその他の収納物を引き出す場合においては、ベッドの側方に本棚や収納物を引き出し可能なスペースが必要であり、部屋の広さや他の家具の配置に制約されるものであった。また、これらの先行技術は造作家具ではないので、部屋のデザインに調和させて高級感を演出することが難しかった。
【０００６】
そこで、本発明は、寝室の壁面に沿って造作される収納付きヘッドボードであり、部屋の広さや家具の配置に制約を受けることなく、ヘッドボードのデッドスペースを有効利用することができる収納付きヘッドボードを提供することを目的とする。
【課題を解決するための手段】
【０００７】
本発明の収納付きヘッドボードは、壁面に沿って固定され、前記壁面と逆の面がベッド本体の頭部に当接する収納付きヘッドボードであって、前記ベッド本体に当接する前面板と、前記前面板の上端と前記壁面との間を覆い少なくともその一部が開閉可能な上面板と、を有しており、内部に中空部が形成される外収納部と、前記中空部内に収納され、前記上面板を開いて形成した開口部から引き出し可能な内収納部と、を備え、前記中空部は、ベッド本体の上面よりも低い位置に底面が設けられており、前記内収納部は、前記中空部の前記底面から前記前面板の上端までの高さ以下であることを特徴としている。
【０００８】
本発明の収納付きヘッドボードは、前記上面板は少なくとも長さ方向の中央に前記開口部を有することを特徴としている。
【０００９】
本発明の収納付きヘッドボードは、前記内収納部は側面が開放された略四角筒状であることを特徴としている。
【００１０】
本発明の収納付きヘッドボードは、前記内収納部は側面の上端及び／又は下端に面取り部が形成されることを特徴としている。
【００１１】
本発明の収納付きヘッドボードは、前記内収納部を引き出し方向に付勢する付勢部をさらに備えることを特徴としている。
【００１２】
本発明の収納付きヘッドボードは、前記中空部内に前記内箱が摺動可能な鉛直方向を向いたガイドレールを有することを特徴としている。
【００１３】
本発明の収納付きヘッドボードは、前記開口部の側縁と前記内収納部の上側端とを互いに回転自在に連結する蝶番をさらに備えることを特徴としている。
【発明の効果】
【００１４】
本発明の収納付きヘッドボードによると、外収納部の中空部内に内収納部が収納され、外収納部の上面板を開いて形成した開口部から内収納部を引き出すことができるので、内収納部の中に収容物を収容して中空部内に収納し、また、中空部内から引き出すことができる。そして中空部は、ベッド本体の上面よりも低い位置に底面が設けられており、内収納部は、中空部の底面から前面板の上端までの高さ以下であるので内収納部を低い位置まで収納することができ、収納付きヘッドボードのデッドスペースを小さくすることができるとともに、収納物の出し入れの際には、内収納部を引き出して収納物を内収納部内に出し入れするので、簡単に出し入れすることができる。このように外収納部の上面板を開いた開口部から内収納部を引き出す構成としたことで、部屋の広さや他の家具の配置等によってベッドの側方にスペースが無い場合であっても外収納部の中空部を収納として有効活用することができる。
【００１５】
本発明の収納付きヘッドボードによると、上面板は少なくとも長さ方向の中央に開口部を有するので、側面から最も届き難いヘッドボードの中央の空間を有効活用することができる。なお、本発明において側面とは、ベッドに仰向けに寝た場合に左右方向となる面をいう。
【００１６】
本発明の収納付きヘッドボードによると、内収納部は側面が開放された略四角筒状であるので、例えばパネル状の収容物を側面から挿入するだけで内収納部に収納することができ、内収納部を開口部から外収納部の中空部に収納することで極めて簡単に収容物を収容することができる。
【００１７】
本発明の収納付きヘッドボードによると、内収納部は側面の上端及び／又は下端に面取り部が形成されているので、内収納部を開口部から中空部に収納する際又は、中空部から引き出す際に面取り部がガイドとなって開口部に位置合わせすることができ、簡単に引き出すことができる。また、内収納部にパネルなどの平板状の収容物を収納した場合に、収容物の角が面取り部によって内収納部の外に露出するので、複数枚の収容物から目的の収容物を見つけやすく、また収容物の角に手が係るので内収納部から取り出しやすい。
【００１８】
本発明の収納付きヘッドボードによると、内収納部を引き出し方向に付勢する付勢部をさらに備えているので、中空部に収納された内収納部を開口部から引き出す際に弱い力で引き出すことができる。
【００１９】
本発明の収納付きヘッドボードによると、中空部内に内収納部が摺動可能な鉛直方向を向いたガイドレールを有するので、内収納部を引き出す際にガイドレールに案内されて、内収納部が左右に傾くことなく姿勢を保ったまま引き出すことができるので、開口部に引っ掛かることが無く、また、引き出している最中に収容物が落下することを防止できる。
【００２０】
本発明の収納付きヘッドボードによると、開口部の側縁と内収納部の上側端とを互いに回転自在に連結する蝶番をさらに備えるので、内収納部を引き出す場合には蝶番が設けられた開口部の側縁を軸にして内収納部を回転させながら引き出すこととなり、真直ぐ上方に引き出す場合に比べて少ない力で引き出すことができる。
【図面の簡単な説明】
【００２１】
【図１】収納付きヘッドボードの構成を示す断面図。
【図２】収納付きヘッドボードの構成を示す斜視図。
【図３】収納付きヘッドボードの上面板に設けられた蓋体を開いた開状態を示す図。
【図４】収納付きヘッドボードの内収納部を開口部から上方に引き出した状態を示す図。
【図５】収納付きヘッドボードの内収納部に収納されていた収納物を取り出した状態を示す図。
【図６】内収納部の変形例として面取り部が形成された例を示す図。
【図７】収納付きヘッドボードの３つの蓋体の下に内収納部をそれぞれ収納した例を示す図。
【図８】内収納部が蝶番により開口部の側縁に回転自在である収納付きヘッドボードの変形例を示す図。
【図９】中空部内に内収納部が摺動可能な鉛直方向を向いたガイドレールを有する収納付きヘッドボードの変形例を示す図。
【図１０】側面に収納棚などを設けるとともに、収納付きヘッドボードに隣接して長尺物収納部を設けた収納付きヘッドボードの変形例を示す図。
【発明を実施するための形態】
【００２２】
以下、本発明に係る収納付きヘッドボード１の最良の実施形態について各図を参照しつつ説明する。収納付きヘッドボード１は、図１及び図２に示すように、寝室の壁面２に沿って固定される造作家具である。収納付きヘッドボード１は壁面２と逆側の面がベッド本体３の頭部３ａに当接する。なお、ベッド本体３の頭部３ａとは、ベッドに仰向けに寝た人の頭側となるベッドの端面をいう。ベッド本体３は矩形平板でその上面３ｂにマットレス４が載置されている。
【００２３】
収納付きヘッドボード１は、図１及び図２に示すように、中空部５を有する外収納部６と、中空部５内に収納される内収納部７と、を備えている。外収納部６は、略直方体形状であり、壁面２と平行に間隔を開けて立設されベッド本体３の頭部３ａに当接する前面板１３と、前面板１３の上端と壁面２との間を覆う上面板１４と、前面板１３の両端と壁面２との間を覆う側面板１５と、底面１６ａに設けられた底面板１６とを有している。外収納部６の壁面２に沿った背面は壁面２に当接することで閉じられており、本実施形態においては背面板は設けられていない。なお、本発明における収納付きヘッドボード１の外収納部６は、壁面２に沿って背面板が設けられるものであってもよい。
【００２４】
前面板１３は矩形平板状で、例えばベッド本体３の頭部３ａ側を向く面が装飾されていてもよい。上面板１４は、３つに分割された蓋体１７からなり、それぞれの蓋体１７が、壁面２側に蓋用蝶番１８が設けられており、壁面２に接近しつつ当該壁面２に対して平行に立てられた開状態から、壁面２と上面板１４の上端との間に水平に架設された閉状態まで回転可能に固定されている。なお、開閉可能な蓋体１７は少なくとも上面板１４の長さ方向の中央に１つ以上設けられていればよい。上面板１４の蓋体１７を開状態としたとき、収納付きヘッドボード１の上面には中空部５に連通する開口部１１が形成される。図３に示すように開口部１１は、上面板１４の少なくとも長さ方向の中央に形成される。なお、図３から図５及び図７においては、図示の都合上、ベッド本体３の記載を省略している。
【００２５】
底面板１６は寝室の床面１２に当接する板であり、前面板１３の下端と壁面２との間に水平に配置されている。底面板１６は、これに限定されず寝室の床面１２に対して平行に離れて配置されるものであっても良い。底面板１６の上面は中空部５の底面１６ａを構成しており、少なくともベッド本体３の上面３ｂよりも底面１６ａが低くなるように配置されている。なお、ベッド本体３の上面３ｂとは、ベッド本体３のマットレス４を載置する面をいう。側面板１５は、前面板１３と底面板１６の側面に固定される矩形平板である。
【００２６】
内収納部７は、図３から図５に示すように、両側の側面が開放された略四角筒状で上面に持ち手８が形成されている。内収納部７はこのような形状をすることで、パネル状の収容物９をそのまま内収納部７の側面側から内収納部７内に挿入して収納することができる。なお、内収納部７の形状はこれに限定されるものではなく、例えば一方の側面が閉じた形状であってもよく、または、両側の側面を閉じるとともに、いずれかの面を開閉可能として収容物９の出し入れを行う形状であってもよい。
【００２７】
また、内収納部７は、図６に示すように、側面の上端及び下端、又はそのいずれか一方の角が切り取られた面取り部１０が形成されるものであってもよい。このように構成すると、内収納部７を開口部１１から中空部５に収納する際又は、中空部５から引き出す際に面取り部１０がガイドとなって開口部１１に位置合わせすることができ、簡単に引き出すことができる。また、内収納部７にパネルなどの平板状の収容物９を収納した場合に、収容物９の角が面取り部１０によって内収納部７の外に露出するので、複数枚の収容物９から目的の収容物９を見つけやすく、また収容物９の角に手が掛かるので内収納部７から収容物９を取り出しやすい。
【００２８】
収納付きヘッドボード１は、長手方向の長さ、すなわち、壁面２と平行な長さが、ベッド本体３の幅以上に形成されており、例えば１メートルから３メートルの幅である。また収納付きヘッドボード１の高さは、ベッド本体３にマットレス４を載置したときのマットレス４の上面よりも高くなる高さである。例えば寝室の床面１２から７０ｃｍ以上８５ｃｍ以下が好ましい。収納付きヘッドボード１の厚さ、すなわち、壁面２からの前面板１３までの長さは、例えば２０ｃｍから３０ｃｍ程度が好ましい。なお、収納付きヘッドボード１の寸法は上述のものに限定されるものではない。
【００２９】
収納付きヘッドボード１に収容物９を収納し、又は収納付きヘッドボード１から収容物９を取り出す際には、まず、図３に示すように、上面板１４の長さ方向の中央にもうけられた蓋体１７が開状態になるように、蓋用蝶番１８を軸に蓋体１７を回転させる。そして、蓋体１７が開状態となり上面板１４の中央に開口部１１が形成されると、図４に示すように、当該開口部１１に連通する中空部５に収納されている内収納部７の持ち手８を持って、当該内収納部７を上方に引き上げる。そして、図５に示すように、引き上げた内収納部７の開放された側面から所望の収容物９を取り出し、又は所望の収容物９を収納する。その後、逆の手順で内収納部７を開口部１１から外収納部６の中空部５内に収納して上面板１４の蓋体１７を閉状態にして収納作業を完了する。
【００３０】
このように、本実施形態の収納付きヘッドボード１によると、中空部５から引き出し可能な内収納部７はベッド本体３の上面３ｂよりも低い位置まで収納することができ、収納付きヘッドボード１のデッドスペースを小さくすることができるとともに、内収納部７を引き出して収容物９を内収納部７内に出し入れするので、簡単に出し入れすることができる。そして外収納部６の上面板１４の蓋体１７を開いた開口部１１から内収納部７を引き出す構成としたことで、ベッド本体３の側方にスペースが無い場合でも中空部５を収納として有効活用することができる。特に、上面板１４の長さ方向の中央に開口部１１を有し、当該開口部１１の下に内収納部７を収納することで、側面から最も届き難い収納付きヘッドボード１の中央の空間を有効活用することができる。
【００３１】
なお、本実施形態においては、図７に示すように、上面板１４は３つの蓋体１７から構成されているので、それぞれの蓋体１７の下に内収納部７をそれぞれ収納しておけば、収納容量を大きくすることができる。また、図示しないが、内収納部７を外収納部６と略同じ長さとし、長い１つの内収納部７としてもよく、この場合、長尺な収納物を収納するのに好適である。
【００３２】
また、内収納部７は開口部１１から単に上方に引き出されるものに限定されるものではなく、図８に示すように、開口部１１の側縁と内収納部７の上側端とを互いに回転自在に連結する蝶番１９をさらに備えていてもよい。この構成は、内収納部７を当該蝶番１９を軸として上方向きに回転させることで内収納部７を外収納部６の中空部５から引き出す構成である。このように構成すると、蝶番１９が内収納部７の重量の一部を負担することになるので、上向きに引き上げる場合に比べて小さな荷重で内収納部７を引き上げることができる。なお、この場合内収納部７は、蝶番１９が設けられる側の側面が閉じられていることが好ましい。図８（Ｂ）に示すように、内収納部７が回転したときに、内部の収容物９が落下しないためである。
【００３３】
また、収納付きヘッドボード１は、内収納部７を引き出し方向に付勢する付勢部２０をさらに備えてもよい。例えば、図８では、伸縮可能なガススプリングの付勢部２０が設けられており、当該付勢部２０の一端が底面板１６に揺動可能に固定されており、当該付勢部２０の他端が内収納部７の蝶番１９が設けられる側の側面に揺動可能に固定されている。このように、付勢部２０が、内収納部７を引き出し方向に付勢するので、中空部５に収納された内収納部７を開口部１１から引き出す際に弱い力で引き出すことができる。
【００３４】
また、収納付きヘッドボード１は、図９に示すように、中空部５内に内収納部７が摺動可能な鉛直方向を向いたガイドレール２１を有するものであっても良い。このように構成すれば、内収納部７を引き出す際にガイドレール２１に案内されるので、内収納部７が傾くことなく姿勢を保ったまま引き出すことができ、開口部１１に引っ掛かることや、引き出している最中に収容物９が落下することを防止できる。なお、このガイドレール２１には、内収納部７の引き出し方向である上方に向けて付勢する付勢部２０が設けられていてもよい。付勢部２０は、例えばガススプリングであっても、その他のダンパーやコイルバネであっても良い。内収納部７を開口部１１から引き出す際に弱い力で引き出すことができる。
【００３５】
なお、収納付きヘッドボード１の側面は、側面板１５によって閉じられるものに限られず、図１０に示すように、側面に別途収納棚２２などを設けてもよい。また、収納付きヘッドボード１に隣接して鉛直方向に長尺な直方体の長尺物収納部２３を設けていてもよい。これらの収納棚２２及び長尺物収納部２３を設ければ、内収納部７に収納できない寸法の長尺材や小物類を適切に収納することができる。
【００３６】
なお、本発明の実施の形態は上述の形態に限ることなく、本発明の思想の範囲を逸脱しない範囲で適宜変更することができることは云うまでもない。
【産業上の利用可能性】
【００３７】
本発明に係る収納付きヘッドボード１は、例えば住宅の寝室に備え付けられる収納付きヘッドボード１として、好適に用いることができる。
【符号の説明】
【００３８】
１      収納付きヘッドボード
２      壁面
３      ベッド本体
３ａ    頭部
３ｂ    上面
５      中空部
６      外収納部
７      内収納部
１０    面取り部
１１    開口部
１３    前面板
１４    上面板
１９    蝶番
２０    付勢部
２１    ガイドレール
【図１】
2018099290.tif 000003
【図２】
2018099290.tif 000004
【図３】
2018099290.tif 000005
【図４】
2018099290.tif 000006
【図５】
2018099290.tif 000007
【図６】
2018099290.tif 000008
【図７】
2018099290.tif 000009
【図８】
2018099290.tif 000010
【図９】
2018099290.tif 000011
【図１０】
2018099290.tif 000012
【手続補正書】
【提出日】平成30年1月22日(2018.1.22)
【手続補正１】
【補正対象書類名】特許請求の範囲
【補正対象項目名】全文
【補正方法】変更
【補正の内容】
【特許請求の範囲】
【請求項１】
壁面に沿って固定され、前記壁面と逆の面がベッド本体の頭部に当接する収納付きヘッドボードであって、
前記ベッド本体に当接する前面板と、前記前面板の上端と前記壁面との間を覆い少なくともその一部が開閉可能な上面板と、を有しており、内部に中空部が形成される外収納部と、
前記中空部内に収納され、前記上面板を開いて形成した開口部から引き出し可能な内収納部と、
前記内収納部を引き出し方向に付勢する付勢部と、を備え、
前記中空部は、ベッド本体の上面よりも低い位置に底面が設けられており、
前記内収納部は、前記中空部の前記底面から前記前面板の上端までの高さ以下であることを特徴とする収納付きヘッドボード。
【請求項２】
壁面に沿って固定され、前記壁面と逆の面がベッド本体の頭部に当接する収納付きヘッドボードであって、
前記ベッド本体に当接する前面板と、前記前面板の上端と前記壁面との間を覆い少なくともその一部が開閉可能な上面板と、を有しており、内部に中空部が形成される外収納部と、
前記中空部内に収納され、前記上面板を開いて形成した開口部から引き出し可能な内収納部と、
前記開口部の側縁と前記内収納部の上側端とを互いに回転自在に連結する蝶番と、を備え、
前記中空部は、ベッド本体の上面よりも低い位置に底面が設けられており、
前記内収納部は、前記中空部の前記底面から前記前面板の上端までの高さ以下であることを特徴とする収納付きヘッドボード。
【請求項３】
前記開口部は前記上面板の少なくとも長さ方向の中央を開いて形成されることを特徴とする請求項１又は請求項２に記載の収納付きヘッドボード。
【請求項４】
前記内収納部は側面が開放された略四角筒状であることを特徴とする請求項１から請求項３のいずれかに記載の収納付きヘッドボード。
【請求項５】
前記内収納部は側面の上端及び／又は下端に面取り部が形成されることを特徴とする請求項４に記載の収納付きヘッドボード。
【請求項６】
前記中空部内に前記内収納部が摺動可能な鉛直方向を向いたガイドレールを有することを特徴とする請求項１、３、４又は５に記載の収納付きヘッドボード。
【手続補正２】
【補正対象書類名】明細書
【補正対象項目名】０００７
【補正方法】変更
【補正の内容】
【０００７】
本発明の収納付きヘッドボードは、壁面に沿って固定され、前記壁面と逆の面がベッド本体の頭部に当接する収納付きヘッドボードであって、前記ベッド本体に当接する前面板と、前記前面板の上端と前記壁面との間を覆い少なくともその一部が開閉可能な上面板と、を有しており、内部に中空部が形成される外収納部と、前記中空部内に収納され、前記上面板を開いて形成した開口部から引き出し可能な内収納部と、前記内収納部を引き出し方向に付勢する付勢部と、を備え、前記中空部は、ベッド本体の上面よりも低い位置に底面が設けられており、前記内収納部は、前記中空部の前記底面から前記前面板の上端までの高さ以下であることを特徴としている。
【手続補正３】
【補正対象書類名】明細書
【補正対象項目名】０００８
【補正方法】変更
【補正の内容】
【０００８】
本発明の収納付きヘッドボードは、前記開口部は前記上面板の少なくとも長さ方向の中央を開いて形成されることを特徴としている。
【手続補正４】
【補正対象書類名】明細書
【補正対象項目名】００１１
【補正方法】削除
【補正の内容】
【手続補正５】
【補正対象書類名】明細書
【補正対象項目名】００１３
【補正方法】変更
【補正の内容】
【００１３】
本発明の収納付きヘッドボードは、壁面に沿って固定され、前記壁面と逆の面がベッド本体の頭部に当接する収納付きヘッドボードであって、前記ベッド本体に当接する前面板と、前記前面板の上端と前記壁面との間を覆い少なくともその一部が開閉可能な上面板と、を有しており、内部に中空部が形成される外収納部と、前記中空部内に収納され、前記上面板を開いて形成した開口部から引き出し可能な内収納部と、前記開口部の側縁と前記内収納部の上側端とを互いに回転自在に連結する蝶番と、を備え、前記中空部は、ベッド本体の上面よりも低い位置に底面が設けられており、前記内収納部は、前記中空部の前記底面から前記前面板の上端までの高さ以下であることを特徴としている。
【手続補正６】
【補正対象書類名】明細書
【補正対象項目名】００１４
【補正方法】変更
【補正の内容】
【００１４】
本発明の収納付きヘッドボードによると、外収納部の中空部内に内収納部が収納され、外収納部の上面板を開いて形成した開口部から内収納部を引き出すことができるので、内収納部の中に収容物を収容して中空部内に収納し、また、中空部内から引き出すことができる。そして中空部は、ベッド本体の上面よりも低い位置に底面が設けられており、内収納部は、中空部の底面から前面板の上端までの高さ以下であるので内収納部を低い位置まで収納することができ、収納付きヘッドボードのデッドスペースを小さくすることができるとともに、収納物の出し入れの際には、内収納部を引き出して収納物を内収納部内に出し入れするので、簡単に出し入れすることができる。このように外収納部の上面板を開いた開口部から内収納部を引き出す構成としたことで、部屋の広さや他の家具の配置等によってベッドの側方にスペースが無い場合であっても外収納部の中空部を収納として有効活用することができる。また、本発明の収納付きヘッドボードによると、内収納部を引き出し方向に付勢する付勢部をさらに備えているので、中空部に収納された内収納部を開口部から引き出す際に弱い力で引き出すことができる。
【手続補正７】
【補正対象書類名】明細書
【補正対象項目名】００１８
【補正方法】削除
【補正の内容】